(57)【特許請求の範囲】
【請求項１】
遊技盤と、この遊技盤の盤面に立設する外レール及び当該外レールの内側にて前記遊技盤の盤面に前記外レールに対し間隔をおくように設けられる内レールであって前記外レールの少なくとも一部との間に球案内通路を形成する内レールを有し、前記外レール及び前記内レールの少なくとも一方の内側にて前記遊技盤の盤面に遊技領域を形成して前記球案内通路を通し遊技球を前記遊技領域に案内する案内レールと、球戻り防止装置とを備えるパチンコ遊技機において、
前記球戻り防止装置は、装置本体と、傾動部材とを備えており、
前記装置本体は、
前記内側レールの上側先端部の近傍に位置する一側端部及び当該内側レールの前記上側先端部側の延出方向に位置する他側端部にて前記遊技盤の盤面に取り付けられる取り付け基板部と、
当該取り付け基板部からその前記一側及び他側の両端部の間にて前記遊技盤の前方へ延出する傾動規制板部とを具備しており、
前記傾動部材は、
前記取り付け基板部のうちの前記一側及び他側の両端部の間の中間部位に前記遊技盤の盤面に対し直角となるように回動自在に支持される軸状回動部材と、
この軸状回動部材の回動中心を基準として前記球案内通路による前記遊技球の案内方向に延出する上側傾動部と、前記軸状回動部材の回動中心を基準として前記上側傾動部とは反対方向へ延出する下側傾動部とを具備して、
前記上側傾動部及び前記下側傾動部にて前記傾動規制板部により前記軸状回動部材の回動中心を基準として所定角度範囲内にて傾動可能となるように規制されて、前記上側傾動部が、前記所定角度範囲内にて、前記外レールに対し近づく方向に傾動した第１傾動位置にあるとき、前記下側傾動部は前記内レールの前記球案内通路側の内面よりも当該球案内通路側へ突出しない位置にあり、また、前記上側傾動部が、前記所定角度範囲内にて、前記外レールから遠ざかる方向に傾動した第２傾動位置にあるとき、前記下側傾動部は前記内レールの前記内面よりも前記球案内通路側へ突出することを特徴とするパチンコ遊技機。
【請求項２】
前記傾動部材において、前記下側傾動部は、前記上側傾動部が前記第２傾動位置にあるとき、前記内レールの前記内面よりも前記球案内通路側へ突出することにより前記外レールとの間になす間隔にて遊技球の外径よりも狭くなるような長さに設定されていることを特徴とする請求項１に記載のパチンコ遊技機。
【発明の詳細な説明】
【技術分野】
【０００１】
本発明は、パチンコ遊技機に係り、特に、球戻り防止装置を備えるパチンコ遊技機に関する。
【背景技術】
【０００２】
従来、この種のパチンコ遊技機においては、下記特許文献１に記載のパチンコ遊技機が提案されている。当該パチンコ遊技機は、球戻り防止装置を備えており、この球戻り防止装置は、当該パチンコ遊技機の遊技盤の盤面にその外周部に沿い設けたガイドレールのうち内レールの先端部に支持されている。
【０００３】
当該球戻り防止装置は、内レールの先端部に取り付けてなる本体部材と、この本体部材の外レール側面に回動自在に支持軸により枢支してなるゲート部材と、このゲート部材と一体的な錘部材とを備えている。
【０００４】
ここで、ゲート部材は、その下端部にて、支持軸により遊技盤の盤面の左右方向に傾動可能に支持されている。また、錘部材は、ゲート部材の下端部から外レールとは逆の方向に下方に向け傾斜状に延出している。
【０００５】
しかして、このように構成した球戻り防止装置は、外レールと内レールとの間から遊技盤の遊技領域内に向かう遊技球により、ゲート部材を錘部材の自重に抗して原位置から外レールとは逆の方向へ支持軸の軸周りに傾動させて、上記遊技球を遊技盤の遊技領域内に転動させた後、ゲート部材を錘部材の自重により原位置に復帰させて、上記遊技球を再び外レールと内レールとの間へは戻さないように動作する。
【先行技術文献】
【特許文献】
【０００６】
【特許文献１】特開２０１０−２０１２２９号公報
【発明の概要】
【発明が解決しようとする課題】
【０００７】
ところで、当該パチンコ遊技機においては、遊技球に糸の一端側を固着した糸付き遊技球を発射して遊技領域内に転動させて、糸付き遊技球をその糸の他端でもって遊技領域内において操作することで、例えば、不正に賞球を獲得するというような不正行為が遊技者によって行われることがある。
【０００８】
このため、近年、上述の不正行為を防止すべく、対策を講じることが要請されている。
【０００９】
そこで、本発明は、このような要請に鑑み、球戻り防止装置を有効に活用して、糸付き遊技球を利用した不正行為を防止するようにしたパチンコ遊技機を提供することを目的とする。
【課題を解決するための手段】
【００１０】
上記課題の解決にあたり、本発明に係るパチンコ遊技機は、請求項１の記載によれば、
遊技盤（１０）と、この遊技盤の盤面に立設する外レール（２２）及び当該外レールの内側にて遊技盤の盤面に外レールに対し間隔をおくように設けられる内レールであって外レールの少なくとも一部との間に球案内通路（１１ｂ）を形成する内レール（２１）を有し、外レール及び内レールの少なくとも一方の内側にて遊技盤の盤面に遊技領域（１１ａ）を形成して球案内通路を通し遊技球を上記遊技領域に案内する案内レール（２０）と、球戻り防止装置（１００）とを備える。
【００１１】
当該パチンコ遊技機において、
球戻り防止装置は、装置本体（１１０）と、傾動部材（１２０）とを備えており、
装置本体は、
内側レールの上側先端部の近傍に位置する一側端部及び当該内側レールの上記上側先端部側の延出方向に位置する他側端部にて遊技盤の盤面に取り付けられる取り付け基板部（１１１）と、
当該取り付け基板部からその上記一側及び他側の両端部の間にて遊技盤の前方へ延出する傾動規制板部（１１２）とを具備しており、
傾動部材は、
上記取り付け基板部のうちの上記一側及び他側の両端部の間の中間部位に遊技盤の盤面に対し直角となるように回動自在に支持される軸状回動部材（１２０ｃ）と、
この軸状回動部材の回動中心を基準として上記球案内通路による遊技球の案内方向に延出する上側傾動部（１２０ａ）と、軸状回動部材の回動中心を基準として上記上側傾動部とは反対方向へ延出する下側傾動部（１２０ｂ）とを具備して、
上記上側傾動部及び上記下側傾動部にて上記傾動規制板部により軸状回動部材の回動中心を基準として所定角度範囲内にて傾動可能となるように規制されて、上記上側傾動部が、上記所定角度範囲内にて、外レールに対し近づく方向に傾動した第１傾動位置にあるとき、上記下側傾動部は内レールの上記球案内通路側の内面よりも当該球案内通路側へ突出しない位置にあり、また、上記上側傾動部が、上記所定角度範囲内にて、外レールから遠ざかる方向に傾動した第２傾動位置にあるとき、上記下側傾動部は内レールの上記内面よりも上記球案内通路側へ突出することを特徴とする。
【００１２】
これによれば、当該パチンコ遊技機は、上述のように構成した遊技盤、案内レール、及び装置本体と傾動部材とを有する球戻り装置を備える。
当該球戻り装置において、装置本体が、取り付け基板部及び傾動規制板部を具備しており、取り付け基板部は内側レールの上側先端部の近傍に位置する一側端部及び当該内側レールの上記上側先端部側の延出方向に位置する他側端部にて遊技盤の盤面に取り付けられる。また、傾動規制板部は、取り付け基板部からその一側及び他側の両端部の間にて遊技盤の前方へ延出する。
また、傾動部材は、軸状回動部材と、上側傾動部及び下側傾動部とを具備しており、軸状回動部材は、取り付け基板部のうちの一側及び他側の両端部の間の中間部位に遊技盤の盤面に対し直角となるように回動自在に支持される。また、上側傾動部は、軸状回動部材の回動中心を基準として球案内通路による遊技球の案内方向に延出しており、下側傾動部は、軸状回動部材の回動中心を基準として上側傾動部とは反対方向へ延出している。ここで、傾動部材は、上側傾動部及び下側傾動部にて傾動規制板部により軸状回動部材の回動中心を基準として所定角度範囲内にて傾動可能となるように規制されている。
そして、このような規制のもと、上側傾動部が、所定角度範囲内にて、外レールに対し近づく方向に傾動した第１傾動位置にあるとき、下側傾動部は内レールの球案内通路側の内面よりも当該球案内通路側へ突出しない位置にあり、また、上側傾動部が、所定角度範囲内にて、外レールから遠ざかる方向に傾動した第２傾動位置にあるとき、下側傾動部は内レールの内面よりも球案内通路側へ突出するようになっている。
従って、上側傾動部が第１傾動位置にあるとき、当該上側傾動部は、外レールに対し近づく方向に傾動しており、また、下側傾動部が内レールの上記球案内通路側の内面よりも当該球案内通路側へ突出しない位置に傾動している。このため、上側傾動部が軸状回動部材から球案内通路内へ傾斜しており、また、下側傾動部が、球案内通路から外レールの反対側へ外れて位置する。
【００１３】
しかして、球戻り装置における傾動部材が、その上側傾動部及び下側傾動部にて、上述のように傾動した状態において、遊技球が先行遊技球として案内レールの球案内通路内に発射されると、当該先行遊技球は、球案内通路を通り、傾動部材の上側傾動部と衝突して当該上側傾動部を上方へ押し上げるようにして、傾動部材を第２傾動位置に向けて傾動させつつ、球案内通路から遊技盤の遊技領域内に案内される。
【００１４】
このように先行遊技球が遊技盤の遊技領域内に案内された後には、傾動部材において、上側傾動部が、下側傾動部の自重のもとに、第１傾動位置に傾動する。換言すれば、傾動部材は、上側傾動部でもって、外レールに対し近づく方向に傾動し、一方、下側傾動部は、内レールの球案内通路側の内面よりも当該球案内通路側へ突出しない位置へ傾動する。
【００１５】
このように傾動部材がその第１傾動位置に位置する状態において、遊技者が、不正行為を行う目的で、糸付き遊技球を、先行遊技球に後続する後続遊技球として、案内レールの球案内通路内に発射すると、当該糸付き遊技球は、その糸を付随させながら、球案内通路内に沿い案内されて、傾動部材の上側傾動部を押し上げつつ、遊技盤の遊技領域内に案内される。このとき、傾動部材は第２傾動位置に傾動される。
【００１６】
上述のように糸付き遊技球が遊技盤の遊技領域内に案内されると、当該糸付き遊技球の糸は、案内レールにおける内レールの外レール側の面並びに傾動部材の上側傾動部の外レール側の面に沿い引き出されて、当該上側傾動部の先端部から遊技盤の盤面に沿い遊技領域内にて下方へ移動していく。
【００１７】
その結果、球戻り防止装置においては、糸付き遊技球が、その糸でもって、傾動部材の第２傾動位置における下側傾動部の自重に抗して、傾動部材をその第２傾動位置に強制的に保持することとなる。
【００１８】
このため、当該糸付き遊技球に続いて、遊技球が、順次、球案内通路内に案内されて、少なくとも内レールの外レール側の面に沿い傾動部材側に向けて移動しても、当該各遊技球は、上述のごとく内レールの内面よりも球案内通路側へ突出している傾動部材の下側傾動部の上記案内方向とは反対方向の端部に衝突する。このため、当該各遊技球は、遊技盤の遊技領域内に進入することができない。
【００１９】
換言すれば、上述のように糸付き遊技球が遊技盤の遊技領域内に案内されることで、当該糸付き遊技球を利用した不正行為が可能であったとしても、当該糸付き遊技球に順次後続して案内レールの球案内通路内に案内される各遊技球のうち内レールの外レール側の面に沿う遊技球は、傾動部材の下側傾動部の上記案内方向とは反対方向の端部との衝突により、遊技盤の遊技領域内への進入を阻止される。
【００２０】
以上のように糸付き遊技球による不正行為を許容することで、当該糸付き遊技球がその遊技球にて入賞（例えば、スタートチャッカーへの入賞）することがあっても、その後の各後続遊技球による遊技を阻止することとなる。従って、遊技者は、上述のような糸付き遊技球を利用した不正行為を行うことによっては、各後続遊技球を入賞させることができない。その結果、糸付き遊技球に後続する各遊技球を入賞させて賞球を不正に獲得することができない。このことは、糸付き遊技球を利用した不正行為が最小限に抑制されることを意味する。
【００２１】
また、本発明は、請求項２の記載によれば、請求項１に記載のパチンコ遊技機において、
傾動部材において、下側傾動部は、上側傾動部が上記第２傾動位置にあるとき、内レールの上記内面よりも前記球案内通路側へ突出することにより前記外レールとの間になす間隔にて遊技球の外径よりも狭くなるような長さに設定されていることを特徴とする。
【００２２】
これにより、遊技球が、案内レールの球案内通路内に後続遊技球として発射されても、当該遊技球は、内レールの外レール側の面に沿い移動する場合に限らず、外レールの内レール側の面に沿い移動する場合でも、第２傾動位置にある傾動部材の下側傾動部の上記案内方向とは反対方向の端部とこれに対する外レールの対応部位との間の間隔が遊技球の外径よりも狭いため、当該遊技球は、上述と同様に、傾動部材の下側傾動部の上記案内方向とは反対方向の端部に衝突して、遊技盤の遊技領域内には進入することができない。その結果、請求項１に記載の作用効果がより一層向上され得る。
【発明の効果】
【００２３】
本発明によれば、球戻り防止装置の装置本体が、上述のようにそれぞれ構成した取り付け板部及び傾動規制板部を具備し、球戻り防止装置の傾動部材が、上述のようにそれぞれ構成した軸状回動部材並びに上側傾動部及び下側傾動部を具備する。そして、傾動部材が、その上側傾動部にて、案内レールの内レールの上側先端部よりも外レール側に位置する状態にて、糸付き遊技球が、案内レールの球案内通路を通り傾動部材の上側傾動部を押し上げて遊技盤の遊技領域内に案内されても、糸付き遊技球の糸が、遊技盤の遊技領域内にて下方へ移動する糸付き遊技球の遊技球により引っ張られて、傾動部材を下側傾動部にて内レールよりも外レール側に突出させて保持する。このため、その後に案内レールの球案内通路内に発射される遊技球のうち少なくとも内レールの外レール側の面に沿い移動する遊技球は、傾動部材の下側傾動部の上記案内方向とは反対方向の端部に衝突して遊技盤の遊技領域内への進入を阻止され得る。このため、糸付き遊技球を不正に利用したその後の遊技球による遊技球の獲得のための入賞が防止され得る。
【００２４】
なお、上記各手段の括弧内の符号は、後述する実施形態に記載の具体的手段との対応関係を示す。
【図面の簡単な説明】
【００２５】
【図１】本発明が適用されるパチンコ遊技機の一実施形態を示す斜視図である。
【図２】上記実施形態における遊技盤の正面図である。
【図３】図２におけるパチンコ遊技機の要部の拡大図である。
【図４】図３の球戻り防止装置の拡大斜視図である。
【図５】図３の球戻り防止装置の動作説明図である。
【発明を実施するための形態】
【００２６】
以下、本発明の一実施形態を図面により説明する。
【００２７】
図１に示すパチンコ遊技機は、パチンコホール内の島に立設されるもので、このパチンコ遊技機は、機枠Ｆと、前後方向へ開閉可能に機枠Ｆによって支持される遊技機本体Ｂと、前枠ＦＤ１の中空部に窓ガラス（ガラス板）ＦＤ２を嵌め込んで構成された前扉ＦＤとにより構成されている。
【００２８】
なお、本実施形態において、図１にて図示上下方向が、それぞれ、当該パチンコ遊技機の上下方向に対応し、また、図１にて紙面の手前及び奥側が、それぞれ、当該パチンコ遊技機の前側及び後側に対応する。また、図１において、図示左斜め下方及び図示右斜め上方が、それぞれ、当該パチンコ遊技機の左方向及び右方向に対応する。
【００２９】
遊技機本体Ｂは、図２に示すごとく、遊技盤１０を備えており、この遊技盤１０は、遊技機本体Ｂの枠体（図示しない）に嵌装されている。なお、遊技機本体Ｂは、その上記枠体にて、機枠Ｆによって前後方向へ回動可能に支持されている。
【００３０】
また、当該遊技機本体Ｂは、案内レール２０、環状のセンター飾り３０及び多数の遊技釘（図示しない。）からなる遊技釘群を備えている。案内レール２０は、図２にて示すごとく、内レール２１と、外レール２２とにより構成されており、内レール２１は、外レール２２の内周側に位置するように、当該外レール２２とともに、遊技盤１０の盤面１１にその外周部に沿い配設されている。
【００３１】
ここで、外レール２２は、図２にて示すごとく、その長手方向にて、遊技盤１０の盤面１１にその外周部に沿い右斜め上側から盤面１１の左側下端部にかけて、左斜め上側へ凸な円弧形状にて配設されており、この外レール２２は、その幅方向にて、盤面１１から前方へ立設するように延出されている。
【００３２】
また、内レール２１は、その長手方向にて、外レール２２に沿いその内側にて遊技盤１０の盤面１１に沿い外レール２２に対し所定レール間隔（遊技球の外径よりも広い間隔）をおくように、盤面１１の左上側部位から当該盤面１１の左右方向下縁中央部位にかけて、左斜め下方に向け凸な円弧形状でもって配設されており、当該内レール２１は、その幅方向にて、遊技盤１０の盤面１１から前方へ延出されている。
【００３３】
しかして、このように構成された案内レール２０によれば、外レール２２及び内レール２２は、図２にて示すごとく、その内側において、遊技盤１０の盤面１１上に遊技領域１１ａを形成する。また、内レール２１及び外レール２２は、図２にて示すごとく、上述のように互いに所定レール間隔をおくように配設されることで、その間において、遊技盤１０の盤面１１上に球案内通路１１ｂを形成する。これに伴い、球案内通路１１ｂは、上記所定レール間隔に相当する幅を有する。
【００３４】
本実施形態では、当該球案内通路１１ｂは、ハンドルＨ（図１参照）の回動操作により、球発射装置（図示しない。）から内レール２１及び外レール２２の間に発射される遊技球を、遊技領域１１a内へ案内する役割を果たす。なお、上記球発射装置は、遊技機本体Ｂの上記枠体の右下部に配設されている。また、ハンドルＨは、上記球発射装置の一構成部品として前扉ＦＤの右下部にその前面側から設けられている。
【００３５】
センター飾り３０は、図２に示すように、遊技盤１０の中央開口部の外周部に盤面１１側から組み付けられている。遊技釘群の各遊技釘は、案内レール２０の内側において、センター飾り３０の左側から下側にかけて、遊技盤１０にその盤面１１側から分散して打ち込まれている。
【００３６】
また、球通路１１ｃが、センター飾り３０の右上側部と外レール２２との間にて、遊技領域１１aの一部に形成されている。しかして、上記球発射装置により最大の発射速度で発射される遊技球は、球案内通路１１ｂにより案内されて外レール２２の上側内周面に沿って移動し球通路１１ｃへと案内されると、この遊技球は、球通路１１ｃを通過した後、センター飾り３０の右下方へと落下していく。
【００３７】
また、当該遊技機本体Ｂは、画像表示器５０を備えており、この画像表示器５０は、その液晶パネル５１にて、遊技盤１０の中央部に設けた開口部から前方を臨むように、遊技盤１０の裏面に配設されて、表示制御回路（図示しない。）による制御のもとに、種々の画像の表示を行う。
【００３８】
また、当該遊技機本体Ｂは、第１始動口装置であるスタートチャッカー６０ａ、第２始動口装置である電動チューリップ６０ｂ、スルーゲート７０、複数の普通入賞口８０及び大入賞口装置であるアタッカー９０を備えており、これらスタートチャッカー６０ａ、電動チューリップ６０ｂ、スルーゲート７０、複数の普通入賞口８０及びアタッカー９０は、図２にて示すごとく、遊技盤１０の盤面１１に遊技領域１１a内にて分散して組み付けられている。
【００３９】
ここで、スタートチャッカー６０ａは、センター飾り３０の中央部の直下にて遊技盤１０の盤面１１に組み付けられており、このスタートチャッカー６０ａは、当該スタートチャッカー６０aへの遊技球の入賞に基づき大当たり抽選（大当たりか否かの抽選）の機会を形成する。
【００４０】
電動チューリップ６０ｂは、スタートチャッカー６０ａの直下にて遊技盤１０のその盤面１１側から組み付けられており、この電動チューリップ６０ｂは、その両羽根部材（図示しない）による開口時に遊技球を当該電動チューリップ６０bに入賞し易くすると共に、上記スタートチャッカー６０aと同様、遊技球の入賞に基づき大当たり抽選の機会を形成する。
【００４１】
スルーゲート７０は、図２にて示すごとく、遊技盤１０の中央開口部の右下隅角部の右側斜め下方にて、遊技盤１０にその盤面１１側から組み付けられている。
【００４２】
しかして、遊技球が球通路１１ｃを通り遊技盤１０の盤面１１に沿い下方へ転動してスルーゲート７０を通過すると、当該スルーゲート７０に対する遊技球の通過が検出されて、電動チューリップ６０bを開口するか否かの抽選の機会が形成される。
【００４３】
複数の普通入賞口８０は、内レール２１の内周側に位置するように遊技盤１０の盤面１１の左側下部に組み付けられている。しかして、遊技盤１０の盤面１１に沿い下方へ向け転動する遊技球が各普通入賞口８０に入賞すると、各普通入賞口８０に対する遊技球の入賞が検出されて、上述のような抽選の機会を与えることなく、遊技球の所定個数の払い出しの機会が形成される。
【００４４】
アタッカー９０は、スタートチャッカー６０ａ及び電動チューリップ６０ｂとスルーゲート７０との間において、遊技盤１０にその盤面１１側から組み付けられている。しかして、当該アタッカー９０は、上述した大当たり抽選の結果、大当たりのとき、開閉動作を繰り返して、球通路１１ｃから遊技盤１０の盤面１１に沿い下方へ順次転動していく多数の遊技球に対し入賞の機会を与える。
【００４５】
また、遊技機本体Ｂは、図２にて示すごとく、球戻り防止装置１００を備えており、この球戻り防止装置１００は、内レール２１の上側先端部２１ａの近傍にて、遊技盤１０の盤面１１に組み付けられている。なお、内レール２１の上側先端部２１ａとは、図２、図３及び図５のいずれかにて示すごとく、内レール２１のうち遊技盤１０の盤面１１の左上隅角側に位置する先端部をいう。
【００４６】
当該球戻り防止装置１００は、図３及び図４に示すように、装置本体１１０と、傾動部材１２０とを備えている。
【００４７】
装置本体１１０は、合成樹脂からなるもので、当該装置本体１１０は、図３及び図４にて示すごとく、長手状取り付け基板部１１１と、傾動規制板部１１２とを備えている。
【００４８】
取り付け基板部１１１は、図３にて示すごとく、内レール２１の上側先端部２１ａの近傍にて、遊技盤１０に沿うようにその盤面１１側から複数のねじ１１３（図４では、１つのねじ１１３のみを示す）により、締着されている。
【００４９】
ここで、当該取り付け基板部１１１の長手方向下部は、内レール２１の上側先端部２１ａにその右側から係合するようにして遊技盤１０の盤面１１に沿いねじ１１３により締着されており、一方、当該取り付け基板部１１１の長手方向上部は、上記長手方向下部から内レール２１の上方への延長方向に延出するようにして遊技盤１０の盤面１１に沿いねじ１１３により締着されている。このことは、取り付け基板部１１１は、その内レール２１側の縁部にて、当該内レール２１の上側先端部２１ａ及びその図３にて図示斜め右上方への延長方向に沿い遊技盤１０の盤面１１に締着されていることを意味する。
【００５０】
傾動規制板部１１２は、後述のように傾動部材１２０の図３にて図示時計方向或いは図示反時計方向への傾動を所定の傾動角範囲内に規制するためのもので、当該傾動規制板部１１２は、取り付け基板部１１１の長手方向中間部位から遊技盤１０の前方に向け延出されている。なお、上記所定の傾動角範囲は、後述する傾動部材１２０の上側傾動部１２０ａの左側傾動端と右側傾動端との間の角度範囲をいう。
【００５１】
当該傾動規制板部１１２は、図３或いは図４にて示すごとく、帯状湾曲壁部１１２ａと、規制壁部１１２ｂとを有しており、湾曲壁部１１２ａは、図４にて示すごとく、外レール２２側に向け凹となる湾曲形状にて、取り付け基板部１１１の長手方向中間部位から遊技盤１０から前方へ延出されている。これにより、当該湾曲壁部１１２ａは、その上端部１１２ｃにて、外レール２２をその右側から臨んでいる。
【００５２】
ここで、湾曲壁部１１２ａは、その上端部１１２ｃにて、後述のごとく、傾動部材１２０の図３にて図示時計方向への傾動角度を規制する役割を果たす。本実施形態では、以下、湾曲壁部１１２ａの上端部１１２ｃは、上側規制部１１２ｃともいう。
【００５３】
規制壁部１１２ｂは、湾曲壁部１１２ａの長手方向下側中間部位から外レール２２に向け延出してなるもので、当該規制壁部１１２ｂは、その延出端部にて、外レール２２をその右側から臨んでいる。しかして、当該規制壁部１１２ｂは、その延出端部にて、後述のごとく、傾動部材１２０の図３にて図示反時計方向への傾動角度を規制する役割を果たす。
【００５４】
傾動部材１２０は、図３或いは図４にて示すごとく、その円筒状回動軸１２０ｃ（後述する）を介して、取り付け基盤部１１１に組み付けられており、当該傾動部材１２０は、後述のごとく、円筒状回動軸１２０ｃを軸として、当該回動軸１２０ｃと一体となり、図３にて図示時計方向或いは反時計方向に傾動自在となっている。
【００５５】
当該傾動部材１２０は、図３或いは図４にて示すごとく、それぞれ合成樹脂からなる上下両側傾動部１２０ａ、１２０ｂ及び円筒状回動軸１２０ｃと、支持ピン１２０ｄとにより構成されている。
【００５６】
上下両側傾動部１２０ａ、１２０ｂは、その外レール２２側の各面にて、共に、当該外レール２２を臨むように円筒状回動軸１２０ｃと一体的に形成されている。ここで、上側傾動部１２０ａは、矩形板状のもので、当該上側傾動部１２０ａは、円筒状回動軸１２０ｃからその軸に直交して上方へ一体的に延出している。一方、下側傾動部１２０ｂは、錘としての役割を果たすもので、この下側傾動部１２０ｂは、円筒状回動軸１２０ｃからその軸に直交して下方へ一体的に延出している。なお、下側傾動部１２０ｂは、これ自体で錘としての役割を果たしてもよく、また、別途、錘を内蔵或いは外付けする構成であってもよい。
【００５７】
本実施形態において、下側傾動部１２０ｂは、その厚さ方向中心面にて、上側傾動部１２０ａの厚さ方向中心面に対し円筒状回動軸１２０ｃの軸を基準とし、所定の鈍角をなすように、円筒状回動軸１２０ｃから一体的に延出している。なお、当該下側傾動部１２０ｂには、金属部材が内蔵されている。
【００５８】
支持ピン１２０ｄは、図３或いは図４にて示すごとく、傾動部材１２０を装置本体１１０の長手状取り付け基板部１１１に傾動自在に支持するためのものであり、当該支持ピン１２０ｄは、頭部１２１から軸状首下部を同軸的に延出して構成されている。
【００５９】
この支持ピン１２０ｄは、その軸状首下部にて、傾動部材１２０の円筒状回動軸１２０ｃに遊技盤１０の前方から相対回動自在に嵌装されており、当該支持ピン１２０ｄの軸状首下部は、その先端部にて、長手状取り付け基板部１１１の長手方向中間部位に嵌着されている。
【００６０】
これにより、支持ピン１２０ｄは、その頭部１２１と取り付け基板部１１１との間において、円筒状回動軸１２０ｃを回動自在に支持する。換言すれば、傾動部材１２０は、支持ピン１２０ｄの軸を中心として、その軸周りに、図３にて図示時計方向或いは反時計方向に傾動するように支持ピン１２０ｄにより支持されている。また、傾動部材１２０がこのように支持されることで、下側傾動部１２０ｂが、その下端部にて、内レール２１の上側先端部１２ａよりも上方に位置するようになっている。
【００６１】
このように構成された球戻り防止装置１００においては、傾動部材１２０が図３にて図示実線により示す傾動位置（図示反時計方向傾動位置）にあるとき、下側傾動部１２０ｂは、傾動規制板部１１２の規制壁部１１２ｂに左側から係合して、右側傾動端位置にある。このとき、上側傾動部１２０ａは、図３にて示すごとく、湾曲壁部１１２ａの上側規制部１１２ｃから左側へ解離して、左側傾動端（図示実線参照）に維持されている。
【００６２】
ここで、本実施形態では、傾動部材１２０が現傾動端（左側傾動端）にあるとき、上側傾動部１２０ａが、内レール２１の上側先端部２１ａ（詳細には当該上側先端部２１ａの外レール２２側の面、換言すれば、内レール２１の内面）から上方への延長線よりも外レール２２側に傾動した位置に維持される。
【００６３】
これにより、傾動部材１２０は、その上側傾動部１２０ａにて、球案内通路１１ｂから遊技領域１１ａ内に向けて案内される遊技球により衝突されて、図３にて図示時計方向に傾動する。また、当該傾動部材１２０は、上記現傾動端にある上側傾動部１２０ａにて、球案内通路１１ｂから遊技領域１１ａ内に案内された遊技球の球案内通路１１ｂへの戻りを阻止する役割を果たす。
【００６４】
このため、本実施形態では、傾動部材１２０が上記現傾動端にあるとき上側傾動部１２０ａの先端部とこれに対する外レール２２の対応部位との間の間隔の球案内通路１１ｂの幅方向に沿う間隔が、遊技球の外径よりも狭くなるように、上側傾動部１２０ａの長さが上記所定の鈍角を前提として、所定の長さに選定されている。
【００６５】
また、傾動部材１２０がその左側傾動端（図３にて図示実線参照）から時計方向に傾動して、図３にて図示２点鎖線により示す傾動端（右側傾動端）に達したとき、上側傾動部１２０ａは、湾曲壁部１１２ａの上側規制部１１２ｃにその左側から係合して、右側傾動端に維持される。このとき、下側傾動部１２０ｂは、傾動規制板部１１２の規制壁部１１２ｂから左方へ解離して、左側傾動端（図３にて図示２点鎖線参照）に維持される。
【００６６】
ここで、本実施形態では、傾動部材１２０が右側傾動端に達したとき、上側傾動部１２０ａが、内レール２１の上側先端部２１ａ（詳細には当該上側先端部２１ａの外レール２２側の面）から上方への延長線よりも遊技領域１１ａ側（外レール２２とは反対側）に傾動した位置に維持される。これにより、傾動部材１２０は、球案内通路１１ｂ内にて内レール２１に沿う遊技球の遊技領域１１ａ内への案内を阻止する。このため、本実施形態では、傾動部材１２０が右側傾動端にあるとき下側傾動部１２０ｂの下端部とこれに対する外レール２２の対応部位との間の間隔の球案内通路１１ｂの幅方向に沿う間隔が、遊技球の外径よりも狭くなるように、下側傾動部１２０ａの長さが上記所定の鈍角を前提として所定の長さに選定されている。
【００６７】
以上のように構成した本実施形態において、上記球発射装置が遊技球を発射していない状態では、球戻り防止装置１００においては、傾動部材１２０が、下側傾動部１２０ｂの錘としての自重に基づき、図３にて実線により示すごとく、上記左側傾動端に維持されている。
【００６８】
このとき、下側傾動部１２０ｂは、傾動規制板部１１２の規制壁部１１２ｂにその先端部から係合して右側傾動端に維持されるとともに、上側傾動部１２０ａは、その左側傾動端に維持されている（図３参照）。このような状態においては、下側傾動部１２０ｂが、図３にて実線により示すごとく、内レール２１の上側先端部２１ａの延長線から外レール２２側へは突出していない。このため、下側傾動部１２０ｂとこれに対する外レール２２の対応部位との間の間隔は、球案内通路１１ｂの幅、即ち、上記所定レール間隔となっている。
【００６９】
一方、上側傾動部１２０ａは、図３にて実線により示すごとく、内レール２１の上側先端部２１ａ（詳細には当該上側先端部２１ａの外レール２２側の面）の延長線よりも外レール２２側へ突出している。このため、上側傾動部１２０ａの先端部とこれに対する外レール２２の対応部位との間の間隔は、上述したように、遊技球の外径よりも狭い。
【００７０】
このような状態において、遊技球（以下、先行遊技球ともいう）が球受け皿ＤＳから球送り装置（図示しない）を介し上記球発射装置側へ送り出されて当該球発射装置により球案内通路１１ｂに向けて発射されると、当該先行遊技球は、球案内通路１１ｂにより遊技領域１１ａ内に向けて案内される。
【００７１】
このような案内過程においては、上述のごとく、上側傾動部１２０ａの先端部とこれに対する外レール２２の対応部位との間の間隔は、上述したように、遊技球の外径よりも狭いことから、当該先行遊技球は、傾動部材１２０のうち上側傾動部１２０ａにその下側から衝突する。このとき、下側傾動部１２０ｂは、上述のごとく、内レール２１の上側先端部２１ａ（詳細には当該上側先端部２１ａの外レール２２側の面）の延長線から外レール２２側へは突出していないことから、先行遊技球が、上側傾動部１２０ａに対する衝突に先立って、下側傾動部１２０ｂに緩衝されることはない。
【００７２】
しかして、傾動部材１２０が、その上側傾動部１２０ａにて先行遊技球の上記衝突による力を受けて、支持ピン１２０ｄを軸として、図３にて図示時計方向に傾動すると、傾動部材１２０は、右側傾動端に達して、上側傾動部１２０ａにて、湾曲壁部１１２ａの上側規制部１１２ｃに係合する。なお、これに伴い、下側傾動部１２０ｂは、図３にて２点鎖線で示す傾動端（左側傾動端）に達するが、上記先行遊技球は既に上側傾動部１２０ａに対し上述のごとく衝突済み故、特に支障はない。
【００７３】
従って、上述のような傾動部材１２０の時計方向への回動に伴い、上側傾動部１２０ａの先端部とこれに対する外レール２２の対応部位との間の間隔が、遊技球の外径よりも広くなって、先行遊技球は、上側傾動部１２０ａの先端部とこれに対する外レール２２の対応部位との間を通り遊技領域１１ａ内に案内される。
【００７４】
然る後、傾動部材１２０は、下側傾動部１２０ｂの錘としての自重のもとに、図３にて図示反時計方向に傾動する。このため、上側傾動部１２０ｂは、その左側傾動端に達するとともに、下側傾動部１２０ｂが、その右側傾動端に達して、傾動規制板部１１２の規制壁部１１２ｂにその先端部から係合する。
【００７５】
このような段階において、後続の遊技球（以下、後続遊技球ともいう）が上記球発射装置により球案内通路１１ｂに向けて発射されると、当該後続遊技球は、図３にて図示２点鎖線の傾動位置にある傾動部材１２０に向けて球案内通路１１ｂにより案内されることとなる。
【００７６】
ここで、上述のごとく、傾動部材１２０が右側傾動端に維持されているときには、下側傾動部１２０ｂの下端部とこれに対する外レール２２の対応部位との間隔は、遊技球の外径よりも狭くなっている。
【００７７】
従って、上述のように後続遊技球が球案内通路１１ｂにより傾動部材１２０に向けて案内されても、当該後続遊技球は、下側傾動部１２０ｂの下端部により緩衝されて球案内通路１１ｂに沿い逆戻りして、当該遊技盤１０のアウト口（図示しない）から排出されることとなる。
【００７８】
ところで、上述の後続遊技球が、糸付き遊技球として、球受け皿ＤＳ内に貯留されていた遊技球であれば、当該糸付き遊技球は、糸ｔ（図５参照）を付随させながら、球受け皿ＤＳから球送り装置（図示しない）を介し上記球発射装置側へ送り出される。なお、糸付き遊技球は、遊技球の外周面に糸ｔの基端部を固着して構成されている。また、糸ｔは、その先端部にて、遊技者の手により受け皿ＤＳ内にて把持されているものとする。
【００７９】
しかして、上述のように送り出された糸付き遊技球が上記球発射装置により球案内通路１１ｂに向けて発射されると、当該糸付き遊技球は、糸ｔ（図５参照）を付随させながら、球案内通路１１ｂにより傾動部材１２０に向けて案内される。
【００８０】
ここで、球戻り防止装置１００において、上述と同様に、糸付き遊技球が傾動部材１２０を右側傾動端（図３にて図示２点鎖線参照）に傾動させた後、球案内通路１１ｂから遊技領域１１ａ内に案内される。
【００８１】
そして、このように遊技領域１１ａ内に案内された糸付き遊技球は、糸ｔを付随させながら、遊技領域１１ａにおいて遊技釘と衝突しつつ遊技盤１０の盤面１１に沿い下方へ移動していくこととなる。
【００８２】
このような糸付き遊技球の移動に伴い、糸ｔは、傾動部材１２０の右側傾動端への傾動状態にて、糸付き遊技球により引っ張られて当該糸付き遊技球とともに遊技領域１１ａ内にて下方へ引き出されていくこととなる。このような過程においては、糸ｔは、内レール２１の外レール２２側の面並びに球戻り防止装置１００の上側傾動部１２０ａの外レール２２側の面に沿い引き出されて上側傾動部１２０ａの先端部から遊技領域１１ａ内にて遊技盤１０の盤面１１に沿い下方へ移動していく。
【００８３】
その結果、糸ｔが、球戻り防止装置１００の傾動部材１２０の右側傾動端にて、下側傾動部１２０ｂの錘としての自重に抗して、傾動部材１２０をその右側傾動端に強制的に保持することとなる。
【００８４】
このため、当該糸付き遊技球に続いて、遊技球が、順次、上記球発射装置により球案内通路１１ｂ内に案内されて、図５にて例示するように、内レール２１の外レール２２側の面に沿い傾動部材１２０側に向けて移動する場合には、当該各遊技球は、上述のごとく内レール２１（詳細には内レール２１の外レール２２側の面）よりも外レール２２側へ突出している下側傾動部１２０ｂの下端部に衝突して、遊技領域１１ａ内には進入することができない。
【００８５】
また、当該各遊技球が、内レール２１の外レール２２側の面ではなく、外レール２２の内レール２１側の面に沿い、傾動部材１２０側に向けて移動する場合であっても、上述のごとく、右側傾動端にある傾動部材１２０の下側傾動部１２０ｂの下端部とこれに対する外レール２２の対応部位との間の間隔が遊技球の外径よりも狭いため、当該各遊技球は、上述と同様に、下側傾動部１２０ｂの下端部に衝突して、遊技領域１１ａ内には進入することができない。
【００８６】
以上によれば、本実施形態では、糸付き遊技球が遊技領域１１ａ内に案内されることで、当該糸付き遊技球を利用した不正行為が可能であったとしても、当該糸付き遊技球に順次後続して球案内通路１１ｂ内に案内される各遊技球は、全て、傾動部材１２０の下側傾動部１２０ｂとの衝突により、遊技領域１１ａ内への進入を阻止される。
【００８７】
これ伴い、これらの各後続遊技球を利用した遊技領域１１ａ内でのアタッカー９０への入賞等の遊技者にとり有利な遊技を含めて、遊技領域１１ａ内における全ての遊技が阻止されることとなる。
【００８８】
このように、糸付き遊技球による不正行為を許容して、当該糸付き遊技球がその遊技球にて入賞（例えば、スタートチャッカーへの入賞）することがあっても、その後の各後続遊技球による遊技を全て阻止することで、遊技者が糸付き遊技球を利用した不正行為によっては、各後続遊技球をアタッカー９０等へ入賞させることができない。その結果、糸付き遊技球に後続する各遊技球をアタッカー９０に入賞させて賞球を不正に獲得することができない。このことは、糸付き遊技球を利用した不正行為が最小限に抑制されることを意味する。
【００８９】
なお、本発明の実施にあたり、上記実施形態に限ることなく、次のような種々の変形例が挙げられる。
（１）本発明の実施にあたり、球戻り防止装置１００において、傾動部材１２０が右側傾動端にあるとき、下側傾動部１２０ｂの下端部とこれに対する外レール２２の対応部との間の球案内通路１１ｂの幅方向に沿う間隔は、上記実施形態とは異なり、遊技球の外径以上であってもよい。
【００９０】
これによれば、球案内通路１１ｂにより、少なくとも内レール２１の外レール２２側の面に沿い案内される後続遊技球は、傾動部材１２０の下側傾動部１２０ｂとの衝突により、遊技領域１１ａ内への進入を阻止され得る。
（２）本発明の実施にあたり、球戻り防止装置１００において、傾動部材１２０が左側傾動端にあるとき、下側傾動部１２０ｂは、上記実施形態にて述べた位置に限ることなく、内レール２１の先端部２１ａの延長線よりも右側に位置していてもよい。
（３）本発明の実施あたり、球戻り防止装置１００は、上記実施形態にて述べたように内レール２１の上側先端部２１ａの近傍にて遊技盤１０の盤面１１ａに設けるのではなく、内レール２１の上側先端部２１ａに直接支持するようにしてもよい。
（４）本発明の実施にあたり、上記実施形態にて述べた円筒状回動軸１２０ｃは、一般には、支持ピン１２０ｄをも含めて、軸状回動部材であってもよい。
（５）本発明の実施にあたり、上記実施形態にて述べた傾動部材１２０において、上側傾動部１２０ａは、円筒状回動軸１２０ｃを介して下側傾動部１２０ｂと直線的に形成されていてもよい。
【符号の説明】
【００９１】
１０…遊技盤、１１…盤面、１１a…遊技領域、１１b…球案内通路、
２０…案内レール部材、２１…内レール、２１…外レール、１００…球戻り防止装置、
１１０…装置本体、１２０…傾動部材、１２０ａ…上側傾動部、１２０ｂ…下側傾動部、
１２０ｃ…回動軸。
【図１】
0005526012.tif 000002
【図２】
0005526012.tif 000003
【図３】
0005526012.tif 000004
【図４】
0005526012.tif 000005
【図５】
0005526012.tif 000006